(57)【特許請求の範囲】
【請求項１】
冷却塔により冷却されて被冷却装置に供給される循環水に薬注を行う薬注装置であって、
第１固形薬剤を前記冷却塔の内部に貯留される循環水に浸漬させる第１溶解容器と、
第２固形薬剤を前記冷却塔の稼動時の水の移動を利用して溶解させる第２溶解容器と、
を備える薬注装置。
【請求項２】
前記第２溶解容器は、
前記冷却塔が有する散水槽に配置される請求項１に記載の薬注装置。
【請求項３】
前記第２溶解容器は、
循環水が循環する循環ラインから分岐し、前記冷却塔の内部に接続される分岐ラインに配置される請求項１又は２に記載の薬注装置。
【請求項４】
前記第２溶解容器は、
前記冷却塔の稼動時に補給される補給水の流路に配置される請求項１から３までの何れかに記載の薬注装置。
【発明の詳細な説明】
【技術分野】
【０００１】
本発明は、冷却塔により冷却されて被冷却装置に供給される循環水に薬注を行う薬注装置に関する。
【背景技術】
【０００２】
商業ビル、工業プラント等においては、空調機や冷凍機に組み込まれた熱交換器等の被冷却装置（冷却負荷装置）を冷却するために、冷却水が用いられる。冷却水は、その節約を図る観点から、冷却水を冷却する冷却塔と被冷却装置との間を循環して用いられる（以下、循環する冷却水を適宜「循環水」という）。
【０００３】
循環水を継続的に循環させると循環水の水質が徐々に悪化し、微生物の繁殖に伴ってスライム障害が発生しやすくなるため、循環水に対して殺菌剤等の薬剤の供給が行われている。薬剤の供給方式として、固形薬剤を収容する溶解容器を利用する方法が知られている。この種の薬注装置を開示するものとして、例えば、特許文献１〜３がある。特許文献１には、固形薬剤を収容するための溶解容器を冷却塔の外部に配置し、冷却塔内で集めた水を固形薬剤に接触させて生成した薬剤溶液を冷却塔に供給する構成が開示されている。特許文献２には、循環水の薬剤濃度を監視し、薬剤濃度に応じて、固形薬剤を溶解させる溶解液の供給状態を制御する構成が開示される。特許文献３には、空間速度の範囲を設定して固形薬剤の溶解を調整する構成が開示される。
【先行技術文献】
【特許文献】
【０００４】
【特許文献１】特開２０１３−２１０１３４号公報
【特許文献２】特開２００３−１５４２４１号公報
【特許文献３】特開２００５−２７０７９８号公報
【発明の概要】
【発明が解決しようとする課題】
【０００５】
ところで、冷却塔の稼動時は、微生物等による汚染レベルも高くなるため、停止時に比べて薬注量を多くする必要がある。しかし、冷却塔の内部の循環水が貯留されている場所に固形薬剤を収容した溶解容器を浸漬配置した場合、冷却塔が稼動しているか否かに関わらず、固形薬剤が循環水に溶解することになる。冷却塔の稼動時に必要な薬注量に基づいて固形薬剤の浸漬量を設定している場合、冷却塔の停止時に過剰な量の薬剤が薬注されることになる。この点、特許文献１の構成によれば、冷却塔が稼動しているときのみ固形薬剤を溶解させて薬注することができる。しかし、冷却塔が稼動していないときには、薬注が行われなくなってしまい、冷却塔が停止している間に薬剤の効果が消失し、循環水が微生物等で汚染されるおそれがある。特許文献２の構成では、薬剤濃度を監視する装置が必要になり、当該装置を冷却塔の停止時にも稼動させなければならない。特許文献３の構成においても、定量的な溶解液を提供できるものの、冷却塔の稼動時と停止時で薬注量を変える場合、そのための制御を冷却塔の稼動時と停止時のそれぞれで行う必要がある。
【０００６】
本発明は、固形薬剤を用いた薬注装置において、複雑な制御や構造を必要とすることなく、冷却塔の稼動時と停止時のそれぞれで、適切な量の薬剤溶液を循環水に供給できる薬注装置を提供することを目的とする。
【課題を解決するための手段】
【０００７】
本発明は、冷却塔により冷却されて被冷却装置に供給される循環水に薬注を行う薬注装置であって、第１固形薬剤を前記冷却塔の内部に貯留される循環水に浸漬させる第１溶解容器と、第２固形薬剤を前記冷却塔の稼動時の水の移動を利用して溶解させる第２溶解容器と、を備える薬注装置に関する。
【０００８】
前記第２溶解容器は、前記冷却塔が有する散水槽に配置されることが好ましい。
【０００９】
前記第２溶解容器は、循環水が循環する循環ラインから分岐し、前記冷却塔の内部に接続される分岐ラインに配置されることが好ましい。
【００１０】
前記第２溶解容器は、前記冷却塔の稼動時に補給される補給水の流路に配置されることが好ましい。
【発明の効果】
【００１１】
本発明によれば、固形薬剤を用いた薬注装置において、複雑な制御や構造を必要とすることなく、冷却塔の稼動時と停止時のそれぞれで、適切な量の薬剤溶液を循環水に供給できる薬注装置を提供できる。
【図面の簡単な説明】
【００１２】
【図１】第１実施形態の薬注装置が適用される冷却システムを模式的に示した図である。
【図２】第２実施形態の薬注装置が適用される冷却システムを模式的に示した図である。
【図３】第３実施形態の薬注装置が適用される冷却システムを模式的に示した図である。
【図４】第４実施形態の薬注装置が適用される冷却システムを模式的に示した図である。
【発明を実施するための形態】
【００１３】
以下、本発明の薬注装置の好ましい各実施形態について、図面を参照しながら説明する。なお、本明細書における「ライン」とは、流路、経路、管路等の流体の流通が可能なラインの総称である。
【００１４】
＜第１実施形態＞
図１は、第１実施形態の薬注装置１５０が適用される冷却システム１を模式的に示した図である。冷却システム１は、空調機や冷凍機に組み込まれた熱交換器等の被冷却装置１３１を冷却する循環水Ｗ２（冷却水）を系内で循環させる水処理システムである。
【００１５】
図１に示すように、第１実施形態の冷却システム１は、冷却塔１２０と、被冷却装置１３１と、循環水ポンプ１３２と、薬注装置１５０と、を主要な構成として備える。また、冷却システム１は、循環水供給ラインＬ１１１及び循環水回収ラインＬ１１２からなる循環ラインＬ１１０と、補給水ラインＬ１２０と、を主要なラインとして備える。以下、冷却システム１の各構成について説明する。
【００１６】
まず、冷却塔１２０について説明する。冷却塔１２０は、塔本体１２１と、散水槽１４５と、散水部１４６と、充填材１４７と、ルーバ１４８と、ファン１４９と、貯留部１１６と、給水部１３７と、を備える。
【００１７】
塔本体１２１は、冷却塔１２０の外郭を形成する筐体である。この塔本体１２１に、冷却塔１２０の各構成要素が設けられる。
【００１８】
散水槽１４５は、塔本体１２１の上部に設けられる。散水槽１４５は、循環ラインＬ１１０の循環水回収ラインＬ１１２によって被冷却装置１３１と接続される。冷却塔１２０の稼動時には、被冷却装置１３１で使用された循環水Ｗ２が循環水回収ラインＬ１１２を通じて散水槽１４５に送られる。
【００１９】
散水部１４６は、散水槽１４５の下方に設けられる。散水部１４６は、複数のノズルから構成され、冷却塔１２０の稼動時に、散水槽１４５に貯留される循環水Ｗ２を塔本体１２１の内部に散布する。なお、散水槽１４５に貯留される循環水Ｗ２は、散水部１４６によって散水されるので、冷却塔１２０の稼動時（即ち、循環水ポンプ１３２の駆動時）のみ散水槽１４５に貯留された状態となる。
【００２０】
充填材１４７は、塔本体１２１の内部における散水部１４６の下方であって、貯留部１１６の上方に設けられる。充填材１４７は、散水部１４６から散布された循環水Ｗ２を滴状（又は液膜状）にして、循環水Ｗ２と外気との接触面積及び接触時間を長くする。これにより、循環水Ｗ２の冷却が効率的に行われる。
【００２１】
ルーバ１４８は、塔本体１２１の内部に外気を導入するための通気孔である。ルーバ１４８を通じて塔本体１２１の外部の空気が、塔本体１２１の内部へ流入可能になっている。
【００２２】
ファン１４９は、塔本体１２１の中央上部に形成される開口部１４１に設けられる。ファン１４９の回転駆動によって、ルーバ１４８から塔本体１２１の内部に外気が流入するとともに、開口部１４１を通じて塔本体１２１内部の空気が外部に流出する気流が生じる。
【００２３】
貯留部１１６は、塔本体１２１の下部に設けられる下部水槽である。散水部１４６から散布された循環水Ｗ２は、塔本体１２１の内部を落下する過程において冷却されて貯留部１１６に貯留される。貯留部１１６は、循環ラインＬ１１０の循環水供給ラインＬ１１１によって被冷却装置１３１と接続される。冷却塔１２０の稼動時には、貯留部１１６の循環水Ｗ２が循環水供給ラインＬ１１１を通じて被冷却装置１３１に供給される。
【００２４】
給水部１３７は、貯留部１１６内の循環水Ｗ２の水位（即ち、水量）を管理するものである。給水部１３７には、補給水Ｗ１を補給する補給水ラインＬ１２０が接続されており、循環水Ｗ２の蒸発及び飛散等により貯留部１１６の水位が所定水位よりも低下すると貯留部１１６に補給水Ｗ１を供給する。
【００２５】
本実施形態の給水部１３７は、浮き玉１３８と、給水弁１３９と、を備えるボールタップ式の給水装置である。貯留部１１６の水位が所定水位よりも低下すると、給水部１３７の浮き玉１３８が下方に動いて給水弁１３９が開き、給水弁１３９から補給水Ｗ１が貯留部１１６に流れる。
【００２６】
以上説明したように、第１実施形態の冷却塔１２０は、いわゆる開放式冷却塔である。当該冷却塔１２０によって冷却された循環水Ｗ２が被冷却装置１３１に供給される。
【００２７】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２８】
循環水ポンプ１３２は、循環水供給ラインＬ１１１に設けられる。循環水ポンプ１３２は、循環ラインＬ１１０（循環水供給ラインＬ１１１、循環水回収ラインＬ１１２）の上流側から下流側へ向けて、循環水Ｗ２を送り出す循環駆動源である。この循環水ポンプ１３２の駆動によって循環ラインＬ１１０を循環水Ｗ２が流通する。
【００２９】
薬注装置１５０について説明する。第１実施形態の薬注装置１５０は、塔本体１２１の内部に配置される第１溶解容器１５１と、散水槽１４５に配置される第２溶解容器１５２と、を備える。
【００３０】
まず、第１溶解容器１５１について説明する。第１溶解容器１５１は、縦長の筒状に形成される容器本体１６０と、容器本体１６０の下部に開度調節可能に設けられる開口部１６１と、を備える。開口部１６１の開度を調節することで、薬剤溶液Ｗ１０の流出量を調整することができる。
【００３１】
容器本体１６０には、複数の殺菌剤（ハロゲン系殺菌剤又は有機系殺菌剤）の錠剤を上下方向に積み重ねたものが第１固形薬剤１６５ａとして収容される。なお、第１固形薬剤１６５ａを構成する薬剤として殺菌剤に替えて、スケール防止剤や防食剤を使用することもできる。以下に、第１固形薬剤１６５ａとして使用可能な各種化合物を列挙する。列挙した各種化合物は、単独で錠剤に成型してもよいし、複数種を所要割合でブレンドした状態で錠剤に成型してもよい。
【００３２】
＜ハロゲン系殺菌剤＞
◎イソシアヌル酸系化合物：トリクロロイソシアヌル酸、ジクロロイソシアヌル酸など
◎次亜塩素酸系化合物：次亜塩素酸カルシウム（さらし粉）など
◎ハロゲン化ヒダントイン誘導体：１−ブロモ−３−クロロ−５，５−ジメチルヒダントインなど
＜有機系殺菌剤＞
◎イソチアゾリン系化合物：５−クロロ−２−メチル−４−イソチアゾリン−３−オン、２−メチル−４−イソチアゾリン−３−オンなど
◎トリアジン系化合物：２−（ｔ−ブチルアミノ）−４−クロロ−６−エチルアミノ−１，３，５−トリアジンなど
◎四級アンモニウム塩系化合物：アルキルジメチルベンジルアンモニウムクロライド〔別称：塩化ベンザルコニウム〕など
＜スケール防止剤＞
◎カルボン酸系重合物：ポリアクリル酸、ポリアクリル酸塩、ポリマレイン酸、ポリマレイン酸塩など
＜防食剤＞
◎重金属系化合物：亜鉛塩、モリブデン塩など
◎無機系化合物：亜硝酸塩など
◎有機系化合物：１，２，３−ベンゾトリアゾールなど
【００３３】
第１溶解容器１５１は、固定具１６９によって塔本体１２１に固定される。第１溶解容器１５１の固定位置は、その開口部１６１が貯留部１１６に貯留される循環水Ｗ２の所定水位よりも低い位置になっている。循環水Ｗ２の所定水位は、上述の給水部１３７によって維持される水位である。また、第１溶解容器１５１は、その内部に収容する第１固形薬剤１６５ａの少なくとも一部が所定水位よりも高い位置になるように固定されている。開口部１６１が所定水位よりも低い位置にあるので、第１固形薬剤１６５ａの下部が循環水Ｗ２によって溶解し、その薬剤溶液Ｗ１０が開口部１６１を通じて貯留部１１６に流出する。第１固形薬剤１６５ａのうち、循環水Ｗ２に接している部分（錠剤）が溶けきると自重により上の錠剤が落下し、落下した錠剤が循環水Ｗ２の所定水位より低い位置となり、第１固形薬剤１６５ａの溶解が継続する。
【００３４】
このように、第１溶解容器１５１に収容される第１固形薬剤１６５ａは、冷却塔１２０が稼動しているか否かに関わらず、常時、その一部が循環水Ｗ２に接触し、溶解している状態にある。即ち、第１溶解容器１５１は、常時、薬剤溶液Ｗ１０を循環水Ｗ２に薬注している。
【００３５】
次に、第２溶解容器１５２について説明する。第２溶解容器１５２は、第２固形薬剤１６５ｂを収容可能に構成される縦長の筒状容器であり、第１溶解容器１５１と同様の構成である。また、第２固形薬剤１６５ｂについても、第１固形薬剤１６５ａと同様のものが用いられる。
【００３６】
第２溶解容器１５２は、固定具１７９によって散水槽１４５に固定される。上述の通り、冷却塔１２０が稼動すると、散水槽１４５に循環水Ｗ２が貯留される状態になり、この貯留された循環水Ｗ２によって第２溶解容器１５２に収容される第２固形薬剤１６５ｂが溶解する。第２固形薬剤１６５ｂが溶解した薬剤溶液Ｗ１０は、循環水Ｗ２に混入され、この循環水Ｗ２が散水部１４６を通じて散布される。一方、冷却塔１２０の停止時は、散水槽１４５への循環水Ｗ２の供給が停止され、散水槽１４５に残留していた循環水Ｗ２も散水部１４６から流出する。従って、冷却塔１２０の停止時は、第２固形薬剤１６５ｂに循環水Ｗ２が供給されず、第２溶解容器１５２による薬注が行われない状態になる。即ち、第２溶解容器１５２は、冷却塔１２０の稼動によって散水槽１４５に移動した水により、冷却塔１２０の稼動時のみ、薬剤溶液Ｗ１０を循環水Ｗ２に薬注する。
【００３７】
薬注装置１５０の主要な構成は以上の通りである。冷却塔１２０の停止時には、第１溶解容器１５１から流出する薬剤溶液Ｗ１０によって循環水Ｗ２の水質が適切なレベルに維持される。冷却塔１２０の稼動時には、第１溶解容器１５１から流出を続ける薬剤溶液Ｗ１０に加え、散水槽１４５に循環水Ｗ２が供給されることによって第２溶解容器１５２からも薬剤溶液Ｗ１０が流出するようになり、冷却塔１２０全体の薬注量が増加するので、稼動時に微生物等で汚染されやすくなる循環水Ｗ２の水質を適切なレベルに維持できるのである。
【００３８】
以上説明した第１実施形態の薬注装置１５０によれば、以下のような効果を奏する。薬注装置１５０は、第１固形薬剤１６５ａを冷却塔１２０の内部に貯留される循環水Ｗ２に浸漬させる第１溶解容器１５１と、第２固形薬剤１６５ｂを冷却塔１２０の稼動時の水の移動を利用して溶解させる第２溶解容器１５２と、を備える。これにより、冷却塔１２０の稼動時と停止時のそれぞれで薬注量を適切に変更できる薬注装置１５０を複雑な制御や構成を追加することなく実現することができる。即ち、冷却塔１２０の停止時は、第１固形薬剤１６５ａのみが循環水Ｗ２に溶解するので、過剰薬注が防止される。そして、冷却塔１２０の稼動時には、循環水Ｗ２の移動によって第１固形薬剤１６５ａに加えて第２固形薬剤１６５ｂも溶解するようになるので、微生物等で汚染されやすくなる稼動時の循環水Ｗ２の水質を適切に維持するために十分な量の薬剤が注入される。
【００３９】
第１実施形態の第２溶解容器１５２は、冷却塔１２０が有する散水槽１４５に配置される。稼動時のみ循環水Ｗ２が供給される散水槽１４５を利用することにより、冷却塔１２０の稼動時と停止時のそれぞれで薬注量を変更する薬注装置１５０をシンプルな構成で実現できる。
【００４０】
＜第２実施形態＞
次に、第２実施形態の薬注装置２５０について説明する。図２は、第２実施形態の薬注装置２５０が適用される冷却システム２０１を模式的に示した図である。なお、第１実施形態と同様の構成については、図面に同じ符号を付してその説明を省略する場合がある。
【００４１】
第２実施形態の薬注装置２５０は、塔本体１２１の貯留部１１６に配置される第１溶解容器１５１と、循環ラインＬ１１０から分岐する分岐ラインＬ２００に配置される第２溶解容器２５２と、を備える。第１溶解容器１５１及び第２溶解容器２５２は、何れも、第１実施形態の第１溶解容器１５１及び第２溶解容器１５２と同様の構成である。第２溶解容器２５２は、その配置場所が第１実施形態の第２溶解容器１５２と異なっている。
【００４２】
第２実施形態の薬注装置２５０が配置される分岐ラインＬ２００について説明する。分岐ラインＬ２００は、第１分岐ラインＬ２１０と、第２分岐ラインＬ２１１と、を備える。第１分岐ラインＬ２１０は、循環ラインＬ１１０の循環水供給ラインＬ１１１から分岐し、第２溶解容器２５２に接続される。第２分岐ラインＬ２１１は、第２溶解容器２５２と、塔本体１２１に設けられる貯留部１１６と、を接続する。なお、第１分岐ラインＬ２１０には、第２溶解容器２５２への循環水Ｗ２の供給流量を調節するために、適当な流量調整手段（例えば、オリフィスや弁機構など）を設けることができる。
【００４３】
上述の通り、冷却塔１２０の稼動時は、循環水ポンプ１３２が駆動され循環水Ｗ２が循環ラインＬ１１０を流通する。この冷却塔１２０の稼動時に、循環水Ｗ２の一部は、循環ラインＬ１１０の循環水供給ラインＬ１１１から第１分岐ラインＬ２１０を通じて第２溶解容器２５２に供給される。第２溶解容器２５２に供給された循環水Ｗ２によって第２固形薬剤１６５ｂが溶解し、その薬剤溶液Ｗ１０が第２分岐ラインＬ２１１を通じて貯留部１１６に貯留される循環水Ｗ２に薬注される。
【００４４】
冷却塔１２０の停止時は、循環ラインＬ１１０に循環水Ｗ２が流れないので、第１分岐ラインＬ２１０を通じて第２溶解容器２５２に循環水Ｗ２が供給されず、第２固形薬剤１６５ｂも溶解しない。即ち、第２溶解容器２５２による薬剤溶液Ｗ１０の薬注は、冷却塔１２０の稼動時に行われ、冷却塔１２０の停止時には行われない。
【００４５】
以上説明した第２実施形態の薬注装置２５０によれば、以下のような効果を奏する。薬注装置２５０は、第１固形薬剤１６５ａを冷却塔１２０の内部に貯留される循環水Ｗ２に浸漬させる第１溶解容器１５１と、循環水Ｗ２が循環する循環ラインＬ１１０から分岐し、冷却塔１２０の内部に接続される分岐ラインＬ２００に配置される第２溶解容器２５２と、を備える。これにより、冷却塔１２０の稼動時に、分岐ラインＬ２００を通じて循環水Ｗ２を第２溶解容器２５２に安定的に供給することができ、第２固形薬剤１６５ｂの薬剤溶液Ｗ１０を定量的に流出させることができる。
【００４６】
＜第３実施形態＞
次に、第３実施形態の薬注装置３５０について説明する。図３は、第３実施形態の薬注装置３５０が適用される冷却システム３０１を模式的に示した図である。なお、第１実施形態と同様の構成については、図面に同じ符号を付してその説明を省略する場合がある。
【００４７】
第３実施形態の薬注装置３５０は、塔本体１２１の貯留部１１６に配置される第１溶解容器１５１と、補給水Ｗ１の流路に配置される第２溶解容器３５２と、を備える。第１溶解容器１５１及び第２溶解容器３５２は、何れも、第１実施形態の第１溶解容器１５１及び第２溶解容器１５２と略同様の構成である。
【００４８】
第２溶解容器３５２の配置場所について説明する。第３実施形態の第２溶解容器３５２は、給水弁１３９の下方に固定具１６９によって固定される。第３実施形態では、第２溶解容器３５２の開口部１６１が、貯留部１１６に貯留される循環水Ｗ２の所定水位よりも上方に位置している。そして、第２溶解容器３５２の容器本体１６０の上部は開口されており、給水弁１３９の給水口に対向する位置関係になっている。
【００４９】
冷却塔１２０の稼動時は、循環水Ｗ２の蒸発及び飛散等により貯留部１１６の水位が所定水位よりも低下すると給水弁１３９が開き、貯留部１１６に補給水Ｗ１が供給される。第２溶解容器３５２は、補給水Ｗ１の流路に配置されているので、給水弁１３９から供給された補給水Ｗ１が第２溶解容器３５２の内部に供給される。この補給水Ｗ１によって第２固形薬剤１６５ｂが溶解し、薬剤溶液Ｗ１０が開口部１６１から貯留部１１６の循環水Ｗ２に注入される。
【００５０】
冷却塔１２０の停止時には、通常、補給水Ｗ１が供給されるほど所定水位も下がらないので、第２溶解容器３５２に補給水Ｗ１が供給されない。即ち、第２溶解容器３５２による薬剤溶液Ｗ１０の薬注は、冷却塔１２０の稼動時に行われる。このように、第３実施形態の薬注装置３５０においても、常時薬注を行う第１溶解容器１５１と、冷却塔１２０の稼動時に薬注を行う第２溶解容器３５２と、によって冷却塔１２０の稼動及び停止時のそれぞれの状況に応じて薬注量が適切に調整されるのである。
【００５１】
以上説明した第３実施形態の薬注装置３５０によれば、以下のような効果を奏する。薬注装置３５０は、第１固形薬剤１６５ａを冷却塔１２０の内部に貯留される循環水Ｗ２に浸漬させる第１溶解容器１５１と、冷却塔１２０の稼動時に補給される補給水Ｗ１の流路に配置される第２溶解容器３５２と、を備える。これにより、冷却塔１２０の稼動時において、補給水Ｗ１が流れる流路に第２溶解容器３５２が配置されるので、冷却塔１２０の稼動時に給水量に応じた適切な薬注を行うことができる。例えば、夏場等の冷却システム３０１の稼動時の負荷が高く、補給水Ｗ１が頻繁に供給される場合においても、補給水Ｗ１の量に応じた薬注が行われるので、循環水Ｗ２の水質を冷却システム３０１の負荷に応じてより一層適切な状態で維持することができる。
【００５２】
なお、第３実施形態では、ボールタップ式の給水部１３７によって補給水Ｗ１が供給される構成を例に説明したが、補給水Ｗ１の補給方法は、適宜変更することができる。例えば、貯留部１１６の貯水レベルを水位センサで検出し、検出水位に応じて補給水ラインに設けた開閉弁を制御する給水装置を用い、補給水ラインを通じて供給される補給水の流路に第２溶解容器３５２を配置することもできる。
【００５３】
＜第４実施形態＞
次に、第４実施形態の薬注装置４５０について説明する。図４は、第４実施形態の薬注装置４５０が適用される冷却システム４０１を模式的に示した図である。なお、第１実施形態と同様の構成については、図面に同じ符号を付してその説明を省略する場合がある。
【００５４】
第４実施形態の薬注装置４５０は、塔本体１２１の貯留部１１６に配置される第１溶解容器１５１と、貯留部１１６の上方に配置される第２溶解容器４５２と、を備える。第１溶解容器１５１及び第２溶解容器４５２は、何れも、第１実施形態の第１溶解容器１５１及び第２溶解容器１５２と同様の構成である。
【００５５】
第２溶解容器４５２の配置場所について説明する。第４実施形態の第２溶解容器４５２は、固定具（図示省略）により、塔本体１２１の内部におけるファン１４９の下方であって、充填材１４７の間に支持される。そして、第２溶解容器４５２は、冷却塔１２０の内部に貯留される循環水Ｗ２の液面（貯留部１１６）よりも上方に位置している。
【００５６】
冷却塔１２０の稼動時は、循環水Ｗ２の蒸発によって塔本体１２１の内部空間の相対湿度が上昇する。本実施形態では、塔本体１２１の内部の相対湿度が６０％（低負荷時）〜１００％（高負荷時）に達する。第４実施形態の第２溶解容器４５２は、この相対湿度の上昇によって第２固形薬剤１６５ｂが溶解し、薬剤溶液Ｗ１０を開口部１６１から流出させる。即ち、循環水Ｗ２が蒸発し、蒸気となって第２溶解容器４５２に移動して第２固形薬剤１６５ｂに吸湿されることで、該第２固形薬剤１６５ｂの溶解が開始するのである。
【００５７】
また、第２溶解容器４５２は、ファン１４９の回転駆動によって生じる気流の経路であるファン１４９の下方に配置されている。即ち、第４実施形態の薬注装置４５０は、冷却塔１２０の稼動時に蒸気となって移動する水を集合し易い位置に配置されており、湿度上昇を利用した第２固形薬剤１６５ｂの溶解を効率的に行うことが可能になっている。
【００５８】
以上、本発明の薬注装置の好ましい各実施形態について説明したが、本発明は、上述の実施形態に制限されるものではなく、適宜変更が可能である。
【００５９】
上記実施形態では、第１固形薬剤１６５ａの一部を循環水Ｗ２に浸漬させる第１溶解容器１５１を例に説明したが、第１固形薬剤１６５ａの全部を循環水Ｗ２に浸漬させる構成としてもよい。また、固定式の第１溶解容器１５１を用いているが、貯留部１１６の循環水Ｗ２に浮かぶフロート式のものを用いることもできる。また、第１実施形態では、固定具１７９を介して第２溶解容器１５２を散水槽１４５に固定している構成であるが、散水槽１４５の底部に据え置くように構成してもよい。
【００６０】
また、上記実施形態では、第１溶解容器及び第２溶解容器は、それぞれ１個ずつ配置される構成であるが、この構成に限定されない。第１溶解容器及び第２溶解容器のいずれか又はその両方を複数配置する構成としてもよい。また、第１実施形態から第４実施形態に示した第２溶解容器１５２，２５２，３５２，４５２を組み合せて使用してもよい。このように、第１溶解容器及び第２溶解容器の構成は、その数、その容器の形状、固定方法や構成等を事情に応じて適宜変更することができる。
【００６１】
上記実施形態では、第１固形薬剤１６５ａ及び第２固形薬剤１６５ｂは、複数の錠剤を積み重ねたものを用いているが、単一の固形薬剤を用いることもできる。また、上記実施形態では、第１固形薬剤１６５ａ及び第２固形薬剤１６５ｂは、同じ種類の薬剤を用いたが、第１固形薬剤と第２固形薬剤で異なる薬剤を用いることもできる。このように、第１固形薬剤及び第２固形薬剤の数、形状、配置方法、構成等は、事情に応じて適宜変更することができる。
【００６２】
上記実施形態では、冷却塔１２０を開放式冷却塔として構成した例について示した。この例に限らず、冷却塔１２０を密閉式冷却塔として構成してもよい。
【符号の説明】
【００６３】
１２０  冷却塔
１３１  被冷却装置
１４５  散水槽
１５０  薬注装置
１５１  第１溶解容器
１５２  第２溶解容器
１６５ａ  第１固形薬剤
１６５ｂ  第２固形薬剤
Ｌ１１０  循環ライン
Ｌ２００  分岐ライン
Ｗ１  補給水
Ｗ２  循環水
【図１】
0006477218.tif 000002
【図２】
0006477218.tif 000003
【図３】
0006477218.tif 000004
【図４】
0006477218.tif 000005